(57)【要約】【課題】  経済的合理性において優れた道路改修を可能とする排水性舗装改修用蓋を提供する。【解決手段】  通常の舗装上に排水性舗装を嵩上げ施工して道路改修するときに、左右の支持端部を既設の側溝の左右各側壁の蓋受部に載せ掛けて前記側溝に装着される改修用蓋において、舗装側にある前記支持端部の高さは、蓋上面が舗装側にある前記側壁の天端よりも排水性舗装の施工厚さ相当分だけ高くなるように設定されている。舗装側にある前記支持端部の外側面下部には、前記蓋受部の内壁面に対面する複数個の張出し壁部が互いに間隔を置いて外向きに形成されており、該張出し壁部の間には前記側溝の通水部に連通するように排水溝部が形成されており、前記張出し壁部は排水性舗装の下側に入り込む。【選択図】  図２
2007070869.tif 000002
【特許請求の範囲】
【請求項１】
通常の舗装上に排水性舗装を嵩上げ施工して道路改修するときに、左右の支持端部を既設の側溝の左右各側壁の蓋受部に載せ掛けて前記側溝に装着される改修用蓋であって、
舗装側にある前記支持端部の高さは、蓋上面が舗装側にある前記側壁の天端よりも排水性舗装の施工厚さ相当分だけ高くなるように設定されている排水性舗装改修用蓋。
【請求項２】
舗装側にある前記支持端部の外側面下部には、前記蓋受部の内壁面に対面する複数個の張出し壁部が互いに間隔を置いて外向きに形成されており、該張出し壁部の間には前記側溝の通水部に連通するように排水溝部が形成されており、前記張出し壁部の上端部の位置は、該張出し壁部が排水性舗装の下側に入り込むように設定されていることを特徴とする請求項１に記載の排水性舗装改修用蓋。
【請求項３】
縁石側にある前記支持端部の高さは、蓋上面が縁石側にある前記側壁の天端よりも高くなるように設定されており、前記側壁の天端に載せ掛けて新設の縁石を据付けるとき、新規縁石の下側稜線を前記支持端部の外側面と前記天端との会合線に揃えるようにしたことを特徴とする請求項１または請求項２に記載の排水性舗装改修用蓋。
【請求項４】
縁石側にある前記支持端部の高さは、蓋上面が縁石側にある前記側壁の天端よりも高くなるように設定されており、該支持端部の外側面上部には、前記側壁の外側面に突き合わせて据え付けられている既設の縁石の側面に対面する突き出し壁部が形成してあり、該突き出し壁部によって前記側壁の天端を被覆するようにしたことを特徴とする請求項１または請求項２に記載の排水性舗装改修用蓋。
【請求項５】
縁石側にある前記支持端部の高さは、蓋上面が縁石側にある前記側壁の天端よりも高くなるように設定されており、前記側壁の外側面に突き合わせて据え付けられている既設の縁石と前記支持端部の外側面上部との間の空所に調整モルタルを充填して、前記側壁の天端を隠蔽するようにしたことを特徴とする請求項１または請求項２に記載の排水性舗装改修用蓋。
【発明の詳細な説明】
【技術分野】
【０００１】
本発明は、通常の舗装上に排水性舗装を嵩上げ施工して道路の改修を行なうときに、既設の側溝の左右側壁の蓋受部に載せ掛けて据え付けられる改修用蓋に関する。
【背景技術】
【０００２】
従来の普通の道路構造は、道路表面にアスファルトなどの不透水性の舗装層を形成してあり、道路表面を流れて来た雨水は、暗渠型側溝の上部壁版に設けたクレーチング、あるいは開渠型側溝の上面開口部に装着した蓋の排水孔を通して、当該側溝の通水部に落とし込んでいる。
【０００３】
これに対して、近年は雨水を地中に還流させる必要性が唱えられ、雨水の浸透性に優れた材料組成よりなる排水性舗装が行われるようになった（特許文献１、特許文献２、特許文献３参照）。
【０００４】
一般に通常舗装の道路を排水性舗装の道路に改修するには、図１３に示したように、通常の舗装１の表面部を所要深さまで削り取り、既設の普通型の側溝２、蓋３及び縁石４を撤去し、排水性舗装対応型の側溝２０を据付けて埋め戻し、縁石４を設置してから前記通常の舗装１の修復と排水性舗装５を施工している。
【０００５】
しかしながら、このような改修工事のやり方では、所要工程数が多くて器材費や労賃コストが嵩むとともに施工期間が長く、また、まだ使える既設の側溝を廃棄処分するため、材料費も大幅に嵩むものとなり、経済的合理性において劣るものであった。
【０００６】
【特許文献１】特許第２８８２７６４号公報
【特許文献２】特許第３１９０６１９号公報
【特許文献３】特開２００１−２６９７４号公報
【発明の開示】
【発明が解決しようとする課題】
【０００７】
本発明の課題は、経済的合理性において優れた道路改修を可能とする排水性舗装改修用蓋を提供することである。
【課題を解決するための手段】
【０００８】
請求項１の発明の主たる特徴は、通常の舗装上に排水性舗装を嵩上げ施工して道路改修するときに、左右の支持端部を既設の側溝の左右各側壁の蓋受部に載せ掛けて前記側溝に装着される改修用蓋において、
舗装側にある前記支持端部の高さは、蓋上面が舗装側にある前記側壁の天端よりも排水性舗装の施工厚さ相当分だけ高くなるように設定されていることである。
【０００９】
請求項２の発明の主たる特徴は、請求項１の発明の前記構成に加えて、舗装側にある前記支持端部の外側面下部には、前記蓋受部の内壁面に対面する複数個の張出し壁部が互いに間隔を置いて外向きに形成されており、該張出し壁部の間には前記側溝の通水部に連通するように排水溝部が形成されており、前記張出し壁部の上端部の位置は、該張出し壁部が排水性舗装の下側に入り込むように設定されていることである。
【００１０】
請求項３の発明の主たる特徴は、請求項１または請求項２の発明の前記構成に加えて、縁石側にある前記支持端部の高さは、蓋上面が縁石側にある前記側壁の天端よりも高くなるように設定されており、前記側壁の天端に載せ掛けて新設の縁石を据付けるとき、新設の縁石の下側稜線を前記支持端部の外側面と前記天端との会合線に揃えるようにしたことである。
【００１１】
請求項４の発明の主たる特徴は、請求項１または請求項２の発明の前記構成に加えて、縁石側にある前記支持端部の高さは、蓋上面が縁石側にある前記側壁の天端よりも高くなるように設定されており、該支持端部の外側面上部には、前記側壁の外側面に突き合わせて据え付けられている既設の縁石の側面に対面する突き出し壁部が形成してあり、該突き出し壁部によって前記側壁の天端を被覆するようにしたことである。
【００１２】
請求項５の発明の主たる特徴は、請求項１または請求項２の発明の前記構成に加えて、縁石側にある前記支持端部の高さは、蓋上面が縁石側にある前記側壁の天端よりも高くなるように設定されており、前記側壁の外側面に突き合わせて据え付けられている既設の縁石と前記支持端部の外側面上部との間の空所に調整モルタルを充填して、前記側壁の天端を隠蔽するようにしたことである。
【発明の効果】
【００１３】
請求項１の発明では、改修用蓋は、まだ使える状態にある既設の側溝の蓋受部に、既存の古い蓋に替えて載せ掛けられるものであり、また、排水性舗装は、舗装側にある前記側壁の天端よりも高く突き出している蓋上面のレベルまで通常の舗装の上に施工されるものであるので、前記した従来の改修工事から、既設の通常の舗装の削り取り工程、既設の側溝及び縁石の掘削・撤去工程、排水性舗装対応型側溝の据付・埋め戻し工程、新設の縁石の設置工程、通常の舗装の修復工程が削除されることになり、これら省略工程に対応した器材費や労賃コストの削減が可能であり、施工期間も短縮されるとともに、まだ使える既設の側溝や縁石を廃棄処分する必要がないため、材料費も大幅に節減でき、経済的合理性に優れた道路改修を行なうことができる。
【００１４】
請求項２の発明では、舗装側にある前記支持端部の外側面下部に外向きに形成した張出し壁部が、前記側溝の前記蓋受部の内壁面に対面しており、複数個の前記張出し壁部の間に前記側溝の通水部に連通するように排水溝部が形成されているため、排水性舗装に浸透した雨水の排除が的確になされるとともに、前記張出し壁部の上端部が排水性舗装の下側に入り込むようになっているため、改修用蓋は排水性舗装によって上から押さえ付けられた形となり、施工後は改修蓋を側溝の蓋受部から外せない。このように改修用蓋の取外しが阻止されているから、悪戯等によって側溝蓋が勝手に外されて自動車が脱輪したり、歩行者が転落する事故が発生せず、道路の安全管理上も優れている。
【００１５】
請求項３の発明では、縁石側にある前記支持端部の高さは、蓋上面が縁石側にある前記側壁の天端よりも高くなるように設定されており、前記側壁の天端に載せ掛けて新規の縁石を据付けるとき、前記支持端部の外側面と前記天端との会合線を目印として、新規縁石の下側稜線を当該会合線に揃えるようにしてあるので、縁石の設置作業が能率良く行なうことができ、縁石の設置ラインを側溝の設置ラインに整然と正しく沿わせることができる。
【００１６】
請求項４の発明では、縁石側にある前記支持端部の高さは、蓋上面が縁石側にある前記側壁の天端よりも高くなるように設定されており、該支持端部の外側面上部には、縁石の側面に対面する突き出し壁部が形成してあり、該突き出し壁部によって前記側壁の天端を被覆するようにしたので、前記側壁の外側面に突き合わせて据え付けられている既設の縁石を、掘削撤去して廃棄することなく、そのまま使用することができ、労賃コストや部材費をその分だけ節減することができる。
【００１７】
請求項５の発明では、縁石側にある前記支持端部の高さは、蓋上面が縁石側にある前記側壁の天端よりも高くなるように設定されており、縁石と前記支持端部の外側面上部との間の空所に調整モルタルを充填することによって前記側壁の天端を隠蔽するようにしたので、前記側壁の外側面に突き合わせて据え付けられている既設の縁石を掘削撤去して廃棄することなく、そのまま使用することができ、労賃コストや部材費をその分だけ節減することができる。
【発明を実施するための最良の形態】
【００１８】
本発明において改修用蓋は、補強鉄筋組立体を内部に包含する鉄筋コンクリート製品とするのが望ましい。このコンクリート材料としてはセメントコンクリートに限定されず、レジンコンクリートで成形することもできる。
【実施例】
【００１９】
図１は通常の舗装の道路を排水性舗装の道路に改修した工事例を示す正面図であり、（ａ）に示した通常の舗装の道路では、基礎コンクリート６の上に敷モルタル７を介してＵ字形の側溝２が設置されており、通常の舗装１は側溝２の左側の側壁２ａの天端２ｃのレベルまで施されており、基礎コンクリート８の上に敷モルタル９を介して設置された縁石４は、側溝２の右側の側壁２ｂの外側面に当接して設置されており、各側壁２ａ，２ｂの上端部内壁面に形成された各蓋受部１０，１１には、既設の蓋３の左右の各支持端部１２，１３が載せ掛けられている。
【００２０】
この道路の現場では、既設の縁石４の多くに損傷箇所があるので、該縁石４は既設の蓋３と一緒に取り替えるものとした。改修工事に当たっては、（ｂ）に示したように既設の蓋３が既設の側溝２の蓋受部１０，１１から外されて、本発明の新設の改修用蓋３０が既設の側溝２に装着される。側溝２の右側の側壁２ｂの外側には縁石用の基礎コンクリート８が打ち直され、敷モルタル９を介して新設の縁石４０が基礎コンクリート８上に設置され、新設の縁石４０の底面の一部は、該側壁２ｂの天端２ｄに載せられる。
【００２１】
図２から図６に詳細に示したように、新設の縁石４０を右側の側壁２ｂに載せるに当たって、改修用蓋３０の右側の支持端部３２の外側面と前記側壁２ｂの天端２ｄとの会合線３５が目印として利用され、該縁石４０の下側稜線が当該会合線３５に合わされる。
既存の通常の舗装１の上に施工される排水性舗装５は、改修用蓋３０の上面レベルまで施され、この排水性舗装５の嵩上げ厚さは５０ｍｍとしてある。
【００２２】
改修用蓋３０の左側の支持端部３１の外側面下部には、改修用蓋２０の長軸方向に一定間隔を置いて複数個の張出し壁部３３を外向きに突出形成してあり、隣り合う張出し壁部３３、３３の間には、既設の側溝２の通水部に連通して開口した排水溝部３４が形成されている。前記張出し壁部３３の上端部には、排水性舗装５の端縁部分が被さっており、これによって改修用蓋３０は動かないようになっている。
【００２３】
改修用蓋３０の上面中央部にはその長軸方向に集水用溝部３７が形成され、該集水用溝部３７の左右両側の上面部は該集水用溝部３７に向かって若干下がり勾配に形成されている。前記集水用溝部３７の底部の適所には集水孔３６を形成してある。
排水性舗装５における水の浸透速度には一定の限界があるため、多量の雨が降るときには、浸透待ちの雨水が道路表面に滞留し、車両のスリップ事故の原因となるばかりか、通行車両が水を跳ね上げ、歩行者にとっても通行し難い状態となる恐れがあるが、排水性舗装５の表面を伝わって改修用蓋３の表面部に流れて来た雨水は、前記集水用溝部３７と集水孔３６から既設の側溝２の通水部に速やかに落とし込まれる。
【００２４】
図７と図８に示した実施例の改修用蓋３０では、蓋上面は水平面に形成され、右側の支持端部３２の端面に集水用スリット３８が形成されている。排水性舗装５の表面を伝わって改修用蓋３の表面部に流れて来た雨水は、前記集水用スリット３８から既設側溝２の通水部に速やかに落とし込まれる。
その他の構成は、図１から図６に示した前記実施例と同様であるから詳細な説明は省略する。
【００２５】
図９と図１０に示した実施例の改修用蓋３０では、蓋上面は長軸方向の中央部に向かって逆傾斜に若干勾配が付けられており、改修用蓋３０の前後一方の端面には集水用スリット３９が形成されている。排水性舗装５の表面を伝わって改修用蓋３の表面部に流れて来た雨水は、前記集水用スリット３９から既設側溝２の通水部に速やかに落とし込まれる。
その他の構成は、図１から図６に示した前記実施例と同様であるから詳細な説明は省略する。
【００２６】
図１１に示した実施例では、旧来の縁石４はまだ使用に耐え得る性状にあるので、その設置されたままの状態で再利用される。
（ａ）に示した通常の舗装の道路では、基礎コンクリート６の上に敷モルタル７を介して側溝２が設置されており、通常の舗装１は側溝２の左側の側壁２ａの天端２ｃのレベルまで施されており、基礎コンクリート８の上に敷モルタル９を介して設置された縁石４は、側溝２の右側の側壁２ｂの外側面に当接して設置され、各側壁２ａ，２ｂの上端部内壁面に形成された各蓋受部１０，１１には、既設の蓋３の左右の各支持端部１２，１３が載せ掛けられている。
【００２７】
改修工事に当たっては、（ｂ）に示したように既設の蓋３が既設の側溝２の蓋受部１０，１１から外されて、本発明の新設の改修用蓋３０が既設の側溝２に装着される。既設の通常の舗装１の上に施工される排水性舗装５は、改修用蓋３０の上面レベルまで施され、この排水性舗装５の嵩上げ厚さは５０ｍｍとしてある。
既設の縁石４の左側面と改修用蓋３０の右側の支持端部３２の外側面との間の空所には、調整モルタル５０が蓋上面のレベルまで現場打設されている。
その他の構成は、図７と図８に示した前記実施例と同様であるから詳細な説明は省略する。
【００２８】
図１２に示した実施例では、旧来の縁石４はまだ使用に耐え得る性状にあるので、その設置されたままの状態で再利用される。
（ａ）に示した通常の舗装の道路では、基礎コンクリート６の上に敷モルタル７を介して側溝２が設置されており、通常の舗装１は側溝２の左側の側壁２ａの天端２ｃのレベルまで施されており、基礎コンクリート８の上に敷モルタル９を介して設置された縁石４は、側溝２の右側の側壁２ｂの外側面に当接して設置され、各側壁２ａ，２ｂの上端部内壁面に形成された各蓋受部１０，１１には、既設の蓋３の左右の各支持端部１２，１３が載せ掛けられている。
【００２９】
改修工事に当たっては、（ｂ）に示したように既設の蓋３が既設の側溝２の蓋受部１０，１１から外されて、本発明の新設の改修用蓋３０が既設の側溝２に装着される。既設の通常の舗装１の上に施工される排水性舗装５は、改修用蓋３０の上面レベルまで施され、この排水性舗装５の嵩上げ厚さは５０ｍｍとしてある。
改修用蓋３０の右側の支持端部３２の外側面上部に形成された突き出し壁部５１は、既設の縁石４の左側面に対面する幅寸法に形成され、既設の側溝２の右側の側壁２ｂの天端２ｄを覆っている。
その他の構成は、図１から図６に示した前記実施例と同様であるから詳細な説明は省略する。
いずれの実施例にも共通の事項として、既設の通常の舗装１は何等削り取られず、既設の側溝２は撤去されない。
【図面の簡単な説明】
【００３０】
【図１】請求項１から請求項３の発明の一実施例に係る改修用蓋を使用した道路改修工事を示す正面であり、（ａ）は改修前の道路構造、（ｂ）は改修後の道路構造を示している。
【図２】図１の改修後における道路構造の拡大正面図である。
【図３】図２の支持円Ａ部分の拡大図である。
【図４】図１の改修後の側溝と蓋及び縁石の関係位置を示す斜視図である。
【図５】図４のＡ−Ａ線断面図である。
【図６】図４のＢ−Ｂ線断面図である。
【図７】請求項１から請求項３の発明の別の実施例に係る改修用蓋を使用した道路構造の正面図である。
【図８】図７の道路構造における側溝と蓋及び縁石の関係位置を示す斜視図である。
【図９】請求項１から請求項３の発明の更に別の実施例に係る改修用蓋を使用した道路構造の正面図である。
【図１０】図９の道路構造における側溝と蓋及び縁石の関係位置を示す斜視図である。図９の水路用ブロックに使用する位置決め体の平面図である。
【図１１】請求項５の発明の一実施例に係る改修用蓋を使用した道路改修工事を示す正面であり、（ａ）は改修前の道路構造、（ｂ）は改修後の道路構造を示している。
【図１２】請求項４の発明の一実施例に係る改修用蓋を使用した道路改修工事を示す正面であり、（ａ）は改修前の道路構造、（ｂ）は改修後の道路構造を示している。
【図１３】従来の道路改修工事を示す正面であり、（ａ）は改修前の道路構造、（ｂ）は改修後の道路構造を示している。
【符号の説明】
【００３１】
１  通常の舗装
２  既設の側溝
３  既設の蓋
４  既設の縁石
５  排水性舗装
６  基礎コンクリート
７  敷モルタル
８  基礎コンクリート
９  敷モルタル
１０  蓋受部
１１  蓋受部
１２  既設の蓋の支持端部
１３  既設の蓋の支持端部
２０  排水性舗装対応型の側溝
３０  改修用蓋
３１  改修用蓋の支持端部
３２  改修用蓋の支持端部
３３  張出し壁部
３４  排水用部
３５  会合線
３６  集水用溝部
３７  集水孔
３８  集水用スリット
３９  集水用スリット
４０  新設の縁石
５０  調整モルタル
５１  突き出し壁部
【図１】
2007070869.tif 000003
【図２】
2007070869.tif 000004
【図３】
2007070869.tif 000005
【図４】
2007070869.tif 000006
【図５】
2007070869.tif 000007
【図６】
2007070869.tif 000008
【図７】
2007070869.tif 000009
【図８】
2007070869.tif 000010
【図９】
2007070869.tif 000011
【図１０】
2007070869.tif 000012
【図１１】
2007070869.tif 000013
【図１２】
2007070869.tif 000014
【図１３】
2007070869.tif 000015